(57)【要約】  コントローラと、データ源と、再生デバイスとを有する車載オーディオ/ビデオシステムであって、前記コントローラは少なくとも1つの第１送信器を有し、前記データ源は少なくとも1つの第１受信器、第1マイクロコントローラ、および第２送信器を有する。前記コントローラは少なくとも1つの第１送信器を有する。前記データ源は少なくとも1つの第１ＲＦ受信器、第１マイクロコントローラ、および第２ＲＦ送信器を有する。再生デバイスは少なくとも1つの第２ＲＦ受信器を有する。コントローラはＲＦ制御信号をデータ源および/または再生デバイスに送信する。データ源の第１ＲＦ受信器はＲＦ制御信号を受信し、この信号を処理のために第１マイクロコントローラに送信する。第２送信器はデータ信号および/または制御信号を再生デバイスに、第１マイクロコントローラの制御下で送信する。【選択図】図１
2007531426.tif 000002
【特許請求の範囲】
【請求項１】
コントローラと、データ源と、再生デバイスとを有し、
前記コントローラは少なくとも1つの第１送信器を有し、前記データ源は少なくとも1つの第１受信器、第１マイクロコントローラ、および第２送信器を有し、
前記コントローラは無線（ＲＦ）コントローラであり、前記第１受信器はＲＦ送信器であり、
前記データ源の前記第１受信器はＲＦ受信器であり、
前記コントローラはＲＦ制御信号をデータ源に送信し、データ源の前記第１ＲＦ受信器は該ＲＦ制御信号を受信し、該信号を第１マイクロコントローラに処理のために送信し、前記第２送信器はデータ信号および/または制御信号を前記再生デバイスに、前記第１マイクロコントローラの制御下で送信する、ことを特徴とする車載オーディオ/ビデオシステム。
【請求項２】
前記再生デバイスはさらに少なくとも1つのＲＦ受信器を有し、
該ＲＦ受信器は、コントローラの第１ＲＦ送信器から送信されたＲＦ制御信号を受信するように構成されている請求項１記載のシステム。
【請求項３】
前記データ源と再生デバイスとの間の信号送信はＲＦで実行される請求項２記載のシステム。
【請求項４】
前記データ源の第２送信器はＲＦ送信器である請求項１記載のシステム。
【請求項５】
前記データ源は前記再生デバイスと組み合わされており、データ源の送信器からの信号は有線信号である請求項１記載のシステム。
【請求項６】
前記データ源は携帯型記憶媒体をデータ信号の記憶に使用する請求項１から５までのいずれか一項記載のシステム。
【請求項７】
前記コントローラはさらにキーパネル、信号発生器、およびエンコーダを有し、
前記キーパネルは外部制御指令を受信し、前記信号発生器は該外部制御指令に相応する制御信号を発生し、前記エンコーダは該制御信号をエンコードして第１送信器に送信する請求項１から５までのいずれか一項記載のシステム。
【請求項８】
前記コントローラはステアリングホイールに設けられている請求項１から５までのいずれか一項記載のシステム。
【請求項９】
コントローラと、データ源と、再生デバイスとを有し、
コントローラはデータ源および/または再生デバイスを、無線（ＲＦ）送信によって制御し、
前記データ源はデータ信号および/または制御信号を再生デバイスにＲＦ送信によって送信する車載オーディオ/ビデオシステム。
【請求項１０】
前記コントローラは少なくとも1つの第１ＲＦ送信器を有し、前記データ源は少なくとも1つの第１ＲＦ受信器、第1マイクロコントローラ、および第２ＲＦ送信器を有し、
再生デバイスは少なくとも1つの第２ＲＦ受信器を有する請求項９記載のシステム。
【発明の詳細な説明】
【技術分野】
【０００１】
本発明はオーディオ/ビデオシステム、とりわけ車載オーディオ/ビデオシステムに関する。
【背景技術】
【０００２】
車載オーディオ/ビデオシステムは、それ自体のレクレーションおよびエンターテイメント特性によってますます一般的になっている。ほとんどの車両には、ラジオおよびビデオデバイス等を有する車載オーディオ/ビデオシステムが装備されている。従来の車載オーディオ/ビデオシステムは一般的にコントローラ、データソース、および再生デバイスを有しており、これらのすべては相互にケーブルによって接続されている。コントローラはキーパネル、信号発生器、エンコーダ、およびケーブル送信器を、ケーブルを通したデータ源の制御のため、およびデバイスの再生のために有する。データ源はケーブル受信器、デコーダ、マイクロコントローラ、メモリデバイス、エンコーダ、およびケーブル送信器を有する。再生デバイスはケーブル受信器、デコーダ、マイクロコントローラおよびプレーヤを有する。既知のシステムの動作を以下に簡単に示す。一度、キーパネルのキーが押されると、信号発生器は信号を発生する。この信号はエンコーダによってエンコードされ、デコードおよびそれぞれのマイクロプロセッサへの送信のために、ケーブル送信器を介してデータ源および再生デバイスに送信される。従ってデータ源と再生デバイスを相応の機能の実現のために制御することができる。しかしケーブル接続であるため、所要の動作を実行することが完璧に快適というわけではない。システムの構築フレキシビリティもケーブル接続によって制限される。さらに制御パネルが通常はステアリングホイールの右側に設けられているから、習慣的に両手を使用して自分の車を運転する運転者は、片手をステアリングホイールから離してコントロールパネルを操作しなければならない。このことは運転者の操作にとって不便なだけでなく、事故を引き起こす危険性もある。
【０００３】
上記の観点から車載オーディオ/ビデオシステムは操作が容易であるように設けられている。
【発明の開示】
【発明が解決しようとする課題】
【０００４】
本発明の課題は、操作が快適な車載オーディオ/ビデオシステムを提供することである。
【課題を解決するための手段】
【０００５】
この課題を解決するために本発明の実施例による車載オーディオ/ビデオシステムは、コントローラ、データ源、および再生デバイスを有し、ここでコントローラは少なくとも1つの第１無線(ＲＦ)送信器を有し、データ源は少なくとも1つの第１ＲＦ受信器と、第1マイクロコントローラと、第２送信器を有する。コントローラはＲＦ制御信号をデータ源に送信する。データ源の第１ＲＦ受信器はＲＦ制御信号を受信し、受信した信号を処理のために第１マイクロコントローラに転送する。第２送信器はデータ信号および/または制御信号を再生デバイスに、第１マイクロコントローラの制御下で送信する。
【０００６】
さらに上記の課題を解決するために、本発明の別の実施例による車載オーディオ/ビデオシステムはコントローラ、データ源、および再生デバイスを有し、ここでコントローラはデータ源および/または再生デバイスをＲＦ送信によって制御し、データ源はデータ信号および/または制御信号を再生デバイスにＲＦ送信を通して送信する。
【０００７】
コントローラはステアリングホイールに設けられていることが好ましい。
【０００８】
従来のケーブル式車載オーディオ/ビデオシステムと比較して、本発明の車載オーディオ/ビデオシステムはデータ源および/または再生デバイスをＲＦ送信によって制御し、ケーブル式車載オーディオ/ビデオシステムを取り付けることにより生じる不便性を除去し、システムの種々のデバイスを設置する際にフレキシビリティを提供する。
【０００９】
さらにステアリングホイールにコントローラを設置することにより運転者の操作性が改善され、運転者が運転から注意を逸らすことがない。
【発明を実施するための最良の形態】
【００１０】
図１を参照すると、本発明の車載オーディオ/ビデオシステムの機能ブロックが示されており、このシステムはコントローラ００、データ源０１および再生デバイス０２を有する。コントローラ００はステアリングホイールに取り付けられており、データ源０１をＲＦ送信によって制御する。この制御は、本発明のオーディオ/ビデオシステムの機能、オン/オフ等を実現するためのものである。
【００１１】
コントローラ００には別個の電源供給部から給電するか、または車両から電力を供給することができる。コントローラはキーパネル００１、信号発生器００２、エンコーダ００３、第１マイクロコントローラ００６およびＲＦ送信器００４を有することができる。キーパネル００１はステアリングホイールに取り付けられており、運転者の操作性を改善する。キーパネルには種々の機能を実行するために複数のキーが設けられている。この実施例でキーパネル００１にはウェークアップキー(ＯＮ)、スリープモードキー(ＯＦＦ)、再生モードキー(ＰＬＡＹ)、ポーズモードキー(ＳＴＩＬＬ)および停止モードキー(ＳＴＯＰ)等が設けられている。キーパネル００１のいずれかのキーが押されると、コントローラ００の信号発生器００２は相応の信号を発生する。発生された信号はエンコーダ００３によりエンコードされ、第１マイクロコントローラ００６に出力される。第１マイクロコントローラ００６はこの信号を処理し、コントローラ００および送信器００４を制御する。送信器００４は相応の信号を、第１マイクロコントローラ００６の制御下で形成し、形成した信号をデータ源０１または再生デバイス０２に送信する。
【００１２】
データ源０１は少なくとも以下のコンポーネントを有する：第１送受信ユニット０１１、第１デコーディング/エンコーディングユニット０１２、第２マイクロコントローラ０１３、およびメモリユニット０１４である。この実施例ではＲＦ送受信ユニットとすることのできる第１送受信ユニット０１１は受信器と送信器を有する。第１デコーディング/エンコーディングユニット０１２および第２マイクロコントローラ０１３は、必要であれば1つのコントロールチップに集積することができる。本発明の車載オーディオ/ビデオシステムのデータ源０１は有線源またはＲＦ源とすることができる。データ源０１は車両に固定することも、携帯型とすることもでき、1つまたは複数のＣＤデバイス、ＶＣＤデバイス、ＤＶＤデバイス、ＥＶＤデバイス、ハードディスク、携帯型ハードディスク、(フラッシュメモリディスクのような)半導体メモリディスク等を有する。記憶されるデータはオーディオデータまたはビデオデータとすることができる。この実施例のデータ源は携帯型データ源である。コントローラ０１が信号をデータ源０１に送信すると、データ源０１の第１送受信ユニット０１１はコントローラ００の信号送信器００４から信号を受信し、受信した信号を第１デコーディング/エンコーディングユニット０１２にデコーディングのために送信する。デコードされた信号は第２マイクロコントローラ０１３に転送され、第２マイクロコントローラ０１３は受信した信号を処理し、データ源０１および/または第１デコーディング/エンコーディングユニット０１２を制御する。第１デコーディング/エンコーディングユニット０１２は制御信号をエンコードし、エンコードした制御信号をメモリユニット０１４に送信する。メモリユニット０１４は、受信した制御信号に従いデータ信号を第１デコーディング/エンコーディングユニット０１２に送信する。第１デコーディング/エンコーディングユニット０１２は第２マイクロコントローラ０１３からの制御信号および受信したデータ信号をエンコードし、エンコードした信号を第１送受信ユニット０１１の送信器に送信する。
【００１３】
データ源０１は、例えばバッテリーである固有の電力供給部を使用するデータ源、または車両の電力供給部により給電されるデータ源とすることができる。
【００１４】
再生デバイス０２は、スピーカのようなオーディオプレーヤ、または車両オーディオ再生システム、またはテレビジョンのような種々のディスプレイを有するオーディオ/ビデオプレーヤとすることができる。本発明の車載オーディオ/ビデオシステムの再生デバイス０２は、データ源０１に組み込まれた、またはデータ源とは別個のケーブル制御再生デバイスとすることができる。この場合、データ源０１の送信器はケーブル送信器であり、信号およびデータはケーブルを介して送信される。再生デバイス０２はまた、データ源０１に組み込まれた、またはデータ源とは別個のＲＦ制御される再生デバイスとすることができ、例えば車両に装備されたマルチメディアプレーヤまたはラジオプレーヤである。
【００１５】
この実施例で、再生デバイス０２はデータ源０１とは別個であり、データ源とＲＦ通信を実行する。再生デバイス０２は少なくとも以下のコンポーネントを有する：第２送受信ユニット０２１、第２デコーディング/エンコーディングユニット０２２、第３マイクロコントローラ０２３、およびプレーヤ０２４である。第２送受信ユニット０２１は送信器と受信器を有する。第２デコーディング/エンコーディングユニット０２２はデコーダとエンコーダを有する。この実施例で、第２送受信ユニット０２１はＲＦ送受信ユニットである。第２送受信ユニット０２１の受信器は、コントローラ００の送信器００４から送信されたＲＦ制御信号、またはデータ信号、またはデータ源０１の第１送受信ユニット０１１の送信器から送信されたＲＦ制御信号を受信する。すべてのＲＦ制御信号とデータ信号は、再生デバイス０２の第２デコーディング/エンコーディングユニット０２２にあるデコーダによってデコーディングされた後、第３マイクロコントローラ０２３に送信される。第３マイクロコントローラ０２３は受信した信号を処理し、再生デバイス０２および/またはプレーヤ０２４を制御する。第２デコーディング/エンコーディングユニット０２２と第３マイクロコントローラ０２３を1つのチップに集積できることは理解されるであろう。
【００１６】
再生デバイス０２は、コントローラ００から受信した制御信号を、データ源０１の第１送受信ユニット０１１に第２送受信ユニット０２１を通して送信する。とりわけデータ源０１の第２マイクロコントローラ０１３は、コントローラ００から受信されたＲＦ制御信号を処理し、データ源０１を制御し、相応のデータ信号および/または制御命令を再生デバイス０２に送信する。再生デバイス０２の第３マイクロコントローラ０２３は、データ源０１からのデータ信号および/または制御命令を処理し、再生デバイス０２を制御し、コントローラ００に相応する制御指令を形成する。
【００１７】
当業者であれば本発明の再生デバイスは、コントローラからの制御信号を、再生デバイスに設けられた第２送受信ユニット０２１の受信器を介して受信することができ、データ源からのデータ信号を再生デバイスのマイクロコントローラの制御下で直接得ることができることが理解されるであろう。
【００１８】
本発明の車載オーディオ/ビデオシステムでの制御方法はＲＦ送信によって実現される。この方法は次のステップを有する：
1. コントローラ００のキーパネル００１が外部指令を受信する。この外部指令はキーパネル００１のファンクションキーを押すことによって発生される；
2. コントローラ００の信号発生器００２が相応の制御信号を発生する；
3. コントローラ００のエンコーダ００３が受信した制御信号をエンコードし、エンコードした信号を第１マイクロコントローラ００６に送信する；
4. 第１マイクロコントローラ００６はこの受信した信号を処理し、コントローラ００および/または送信器００４を制御する；
5. 送信器００４がＲＦ制御信号を送信する；
6. データ源０１の第１送受信ユニット０１１がＲＦ信号をコントローラ００から受信し、第１デコーディング/エンコーディングユニット０１２がこのＲＦ信号をデコードし、デコードした信号をデータ源０１の第２マイクロコントローラ０１３に送信する；
7. 第２マイクロコントローラ０１３が受信した信号を処理し、相応の制御命令をデータ源０１および/または第１デコーディング/エンコーディングユニット０１２に対して発生する；
8. 第1デコーディング/エンコーディングユニット０１２が第２マイクロコントローラ０１３から受信した命令をエンコードし、エンコードした命令をメモリユニット０１４に送信する；
9. メモリユニット０１４が相応のデータ信号を第１デコーディング/エンコーディングユニット０１２に送信する；
10. 第１デコーディング/エンコーディングユニット０１２が受信したデータ信号および/または制御信号をエンコード/デコードし、これを第１送受信ユニット０１１に送信する；
11. 再生デバイス０２は、再生デバイス０２の第２送受信ユニット０２１がＲＦ制御信号をコントローラ００から受信し、データ信号および/またはＲＦ制御信号をデータ源０１から受信し、第２デコーディング/エンコーディングユニット０２２が受信した信号を処理(例えばデコード)し、処理した信号を第３マイクロコントローラ０２３に出力するように制御される；
12. 第３マイクロコントローラ０２３が受信した信号を処理し、再生デバイス０２および/またはプレーヤ０２４に対する相応の制御命令を形成する。
【００１９】
本発明の再生デバイス０２は、データ源０１の第２マイクロコントローラ０１３がコントローラ００から送信されたＲＦ制御信号に応じて相応の処理を実行し、これによりデータ源０１が出力信号および/またはデータ信号を再生デバイス０２にケーブルを介して送信するようにケーブル制御できることが理解されよう。再生デバイス０２の第３マイクロコントローラ０２３は受信した制御信号および/またはデータ信号を処理し、次に再生デバイス０２を制御して相応の制御命令を形成する。
【００２０】
ＲＦ送信によってコントローラ００、データ源０１および再生デバイス０２を操作および制御するための方法を以下の実施例で説明する。
【００２１】
運転者が車載オーディオ/ビデオシステムをスリーピングモードから喚起したい場合、運転者はステアリングホイールに取り付けられたコントローラ００のキーパネル００１のウェークアップキーを押す。コントローラ００の信号発生器００２は相応の制御信号を発生する。エンコーダ００３は制御信号をエンコードする。エンコードされた制御信号は第１マイクロコントローラ００６に送信され、コントローラ００および/または送信器００４を制御するためにそこで処理される。送信器００４はマイクロコントローラ００６からの制御信号をいずれかのＲＦ送信で送信する。このＲＦ送信はＢｌｕｅｔｏｏｔｈ、標準ＲＦ通信(ＺＩＧＢＥＥ)、ウルトラワイドバンド(ＵＷＢ)等である。
【００２２】
データ源０１の第１送受信ユニット０１１はＲＦウェークアップ信号をコントローラ００から受信し、この信号を第１デコーディング/エンコーディングユニット０１２に送信する。この信号は第１デコーディング/エンコーディングユニット０１２によりデコードされ、デコードされた信号は第２マイクロコントローラ０１３に送信される。これにより第２マイクロコントローラ０１３はこの信号に従って、データ源０１のウェークアップ動作を実行するための処理を行う。このとき、データ源０１がパワーオンされているか否かは関係ない。
【００２３】
再生デバイス０２の第２送受信ユニット０２１はＲＦウェークアップ信号をコントローラ００から受信し、この信号を第２デコーディング/エンコーディングユニット０２２にデコーディングのために送信する。第２デコーディング/エンコーディングユニット０２２によりデコードされた信号は第３マイクロコントローラ０２３に送信される。これにより、第３マイクロコントローラ０２３は、このデコードされた信号に従い、再生デバイス０２のウェークアップ動作を実行するための処理を行い、データ源０１をターンオンする。
【００２４】
コントローラ００のキーパネル００１のウェークアップキーが押された後、コントローラ００は無線でデータ源０１と再生デバイス０２を制御し、これらをウェークアップ状態におく。この状態で運転者がキーパネルの再生キーを押すと、コントローラ００の信号発生器００２は相応の再生信号を形成する。形成された再生信号はエンコーダ００３によってＲＦコードにエンコードされ、データ源０１および再生デバイス０２に、Ｂｌｕｅｔｏｏｔｈ、ＺＩＧＢＥＥ、ＵＷＢ等の無線送信方式で送信される。
【００２５】
データ源０１の第１送受信ユニット０１１はＲＦ再生信号をコントローラ００から受信し、この再生信号を第１デコーディング/エンコーディングユニット０１２にデコーディングのために送信する。デコードされた再生信号は、データ源０１にある第２マイクロコントローラ０１３により処理される。第２マイクロコントローラ０１３は、上記の処理により得られたアドレス信号と制御信号を第１デコーディング/エンコーディングユニット０１２にエンコーディングのために送信する。第１デコーディング/エンコーディングユニット０１２は、エンコードした信号をメモリユニット０１４に送信する。第１の歌が、再生信号に従い再生されることがデフォルトであれば、メモリユニット０１４は相応のデータ信号を第１デコーディング/エンコーディングユニット０１２に、受信した信号に従って送信する。第１デコーディング/エンコーディングユニット０１２は、第２マイクロコントローラ０１３から送信された制御指令信号、およびメモリユニット０１４から送信されたデータ信号をエンコードする。最後に、エンコードされたデータ信号および制御信号は無線で、第１送受信ユニット０１１を通して再生デバイス０２に送信される。再生デバイス０２はこの実施例ではデータ源０１とは別個であり、ＲＦ送信を介して制御される。従って、データ源０１はＢｌｕｅｔｏｏｔｈ、ＺＩＧＢＥＥ、またはＵＷＢ等のＲＦ送信によって信号を再生デバイス０２に送信することができる。
【００２６】
再生デバイス０２の第２送受信ユニット０２１はＲＦデータ信号とＲＦ制御信号を受信する。受信された信号は第２デコーディング/エンコーディングユニット０２２によりデコードされ、デコードされた信号は第３マイクロコントローラ０２３に送信される。第３マイクロコントローラ０２３はデジタル信号をアナログ信号に変換し、Ｄ/Ａ変換された信号をプレーヤ０２４にオーディオ再生またはＡＶ再生のために送信する。データ源０１が画像データを送信するなら、この画像データはＤ/Ａ変換なしで表示するためプレーヤ０２４に直接送信される。
【００２７】
メモリユニット０１４がビデオコンパクトディスク(Ｖ-ＣＤ)であり、プレーヤ０２４がテレビジョンであれば、Ｖ-ＣＤにリアルタイムビデオ符号化(ＭＰＥＧ-Ｉ)形式で格納されたデータストリーム信号と他の制御信号がデータ源０１の第１デコーディング/エンコーディングユニット０１２によってエンコードされ、エンコードされた信号は再生デバイス０２にある第３マイクロコントローラ０２３に、ＲＦ送信によって送信される。第３マイクロコントローラ０２３はこの信号を、ＭＰＥＧ-ＩオーディオストリームとＭＰＥＧ-Ｉビデオストリームに分割することによって処理する。ＭＰＥＧ-Ｉオーディオストリームは第３マイクロコントローラ０２３によりデコードされ、テレビジョンに出力するためのステレオオーディオ信号が得られる。ＭＰＥＧ-Ｉビデオストリームはデコードされ、Ｄ/Ａ変換され、テレビジョンに対する複合ビデオ信号を形成するためにＮＴＳＣ/ＰＡＬエンコードされる。ＭＰＥＧ-Ｉビデオストリームはまた、３色信号（ＲＧＢ）としてＮＴＳＣ/ＰＡＬエンコーディングなしでモニタに出力することもできる。
【００２８】
ポーズキーがキーパネル００１で押されると、コントローラ０１はＲＦポーズ信号を送信する。信号発生および制御操作の原理は、ウェークアップキーまたは再生キーが押されたときと同じである。
【００２９】
データ源０１の第１送受信ユニット０１１はＲＦポーズ信号をコントローラ００から受信し、この信号を第１デコーディング/エンコーディングユニット０１２に送信する。このユニット０１２はこの信号をデコードし、デコードした信号を第２マイクロコントローラ０１３に送信し、データ源０１のポーズ動作を実現するために処理させる。
【００３０】
再生デバイス０２の第２送受信ユニット０２１はＲＦポーズ信号の受信に基づき、この信号を第２デコーディング/エンコーディングユニット０２２に、この信号のデコーディングのために送信する。デコードされた信号は第３マイクロコントローラ０２３により処理され、これにより再生デバイス０２のポーズ動作が実現される。
【００３１】
停止キーがキーパネル００１で押されると、コントローラ０１はＲＦ停止信号を送信する。この場合、信号発生原理および制御操作はウェークアップキーまたは再生キーが押されたときと同じである。
【００３２】
データ源０１の第1送受信ユニット０１１はＲＦ停止信号をコントローラ００から受信し、この信号を第１デコーディング/エンコーディングユニット０１２に送信する。このユニット０１２はこの信号をデコードし、デコードした信号を第２マイクロコントローラ０１３に送信し、データ源０１に対する停止動作を実現するために処理させる。
【００３３】
再生デバイス０２の第２送受信ユニット０２１はＲＦ停止信号の受信に基づき、この信号を第２デコーディング/エンコーディングユニット０２２に、この信号のデコーディングのために送信する。デコードされた信号は第３マイクロコントローラ０２３により処理され、これにより再生デバイス０２の動作が停止される。
【００３４】
スリーピングキーがキーパネル００１で押されると、コントローラ０１はＲＦスリーピング信号を送信する。信号発生原理および制御操作は、ウェークアップキーまたは再生キーのようなファンクションキーが押されたときと同じである。
【００３５】
データ源０１の第1送受信ユニット０１１はＲＦスリーピング信号をコントローラ００から受信し、この信号を第１デコーディング/エンコーディングユニット０１２に送信する。このユニット０１２はこの信号をデコードし、デコードした信号を第２マイクロコントローラ０１３に送信し、データ源０１のスリーピング動作を実現するために処理させる。
【００３６】
再生デバイス０２の第２送受信ユニット０２１はＲＦスリーピング信号の受信に基づき、この信号を第２デコーディング/エンコーディングユニット０２２に、この信号のデコーディングのために送信する。デコードされた信号は第３マイクロコントローラ０２３により処理され、これにより再生デバイス０２のスリーピング動作が実現される。
【００３７】
本発明の車載オーディオ/ビデオシステムのキーパネルには他のファンクションキー、例えば早送りキー、巻き戻しキー、リターンキー等を設けることもできる。これらのすべては再生キーまたはポーズキーと同じ動作を有する。
【００３８】
本発明の車載オーディオ/ビデオシステムのコントローラ００、データ源０１および再生デバイス０２間のＲＦ制御の処理について以下、Ｂｌｕｅｔｏｏｔｈ-ＲＦ送信を例にして説明する。
【００３９】
コントローラ００のエンコーダ００３と送信器００４は、第１Ｂｌｕｅｔｏｏｔｈモジュールを形成する(これについては後で詳細に述べる)。第１送受信ユニット０１１と、データ源０１の第１デコーディング/エンコーディングユニット０１２は第２Ｂｌｕｅｔｏｏｔｈモジュールを形成する。さらにデータ源０１による再生デバイス０２のＲＦ制御を可能にするため、再生デバイス０２の第２送受信ユニット０２１と第２デコーディング/エンコーディングユニット０２２が第３Ｂｌｕｅｔｏｏｔｈモジュールを形成する。
【００４０】
図２に示すようにＢｌｕｅｔｏｏｔｈモジュールは通常、ベースバンドコントローラ０５１、電気的に消去可能な読み出し専用メモリ(ＥＥＰＲＯＭ)０５２、モデム０５３、受信器０５４、送信器０５５、トランシーバコントローラ０５６およびアンテナフィルタ０５７を有する。
【００４１】
電気的に消去可能な読み出し専用メモリ０５２はＢｌｕｅｔｏｏｔｈファームウェア(図示せず)を記憶し、データ、アドレス、および制御信号をベースバンドコントローラ０５１と交換する。Ｂｌｕｅｔｏｏｔｈファームウェアは、リンクマネージャ(図示せず)とホストコントロールインタフェース（ＨＣ１）（図示せず）を含む。リンクマネージャはリンク管理プロトコル（ＬＭＰ）を実現し、ベース層のリンク制御を行う。各Ｂｌｕｅｔｏｏｔｈデバイスは、別のＢｌｕｅｔｏｏｔｈデバイスのリンクマネージャとのポイント・ツー・ポイント通信をＬＭＰによって行うことができる。ＨＣＩは、ベースバンドコントローラ０５１、リンクマネージャおよびハードウェア状態制御レジスタにアクセスするためのインタフェースを提供する。ホストはＢｌｕｅｔｏｏｔｈインタフェースを、ＨＣＩドライバにより提供される一連の指令を使用して制御する。受信した指令に基づき、ＢｌｕｅｔｏｏｔｈファームウェアのＨＣＩはイベントを形成し、これをインタフェースにおける状態変化を指示するためにホストに返信する。
【００４２】
ベースバンドコントローラ０５１はベース層でリンク層機能(例えば周波数変調シーケンスの選択)を処理して、データをホストとＢｌｕｅｔｏｏｔｈモジュールとの間で交換する。
【００４３】
本発明の実施例で、コントローラ００とデータ源０１との間のデータ伝送は、本発明の車載オーディオ/ビデオシステムのＲＦ制御を例として説明される。
【００４４】
この実施例でコントローラ００はホストとして、データ源０１はクライアントとして設定される。ウェークアップキーのようなファンクションキーがコントロールパネル００１で押されると、ホスト、すなわちコントローラ００はウェークアップモードに入る。信号発生器００２は相応のウェークアップ信号を発生し、この信号をコントローラ００にあるＢｌｕｅｔｏｏｔｈモジュールに所定のように送信する。ウェークアップ信号はＢｌｕｅｔｏｏｔｈモジュールのベースバンドコントローラ０５１により受信され、モデム０５３により振幅偏移変調（ＡＳＫ）、周波数偏移変調（ＦＳＫ）、位相偏移変調(ＰＳＫ)等を使用して変調される。変調された信号は送信器０５５によりトランシーバコントローラ０５６に送信される。このトランシーバコントローラ０５６は信号の送受信を調整する。この信号はアンテナフィルタ０５７を介して送信される。データ源０１の第２ＢｌｕｅｔｏｏｔｈモジュールはＲＦウェークアップ信号を受信し、これに応答する。データ源０１が給電されており、これがスリーピングモードにある場合、受信された信号は、受信信号に含まれるノイズ信号がＢｌｕｅｔｏｏｔｈモジュールにあるアンテナフィルタによってフィルタリングされた後、トランシーバコントローラと受信器を通してモデムに供給される。そして信号は復調され、搬送波が除去される。変調された信号はデータ源０１３にある第２マイクロコントローラ０１３に出力され、そこで処理される。これによりデータ源０１が喚起される。
【００４５】
再生デバイス０２はＲＦウェークアップ信号をコントローラ００から、データ源０１と同時に受信する。再生デバイス０２での動作原理は、この関連から、ＲＦウェークアップ信号をコントローラ００から受信した場合のデータ源０１での動作原理と同じである。
【００４６】
再生キー、ポーズキー、停止キー、またはスリーピングキーのような他のファンクションキーが押される場合も、本発明による車載オーディオ/ビデオシステムのコントローラ００、データ源０１および再生デバイス０２巻でのＲＦ送信による制御原理は実質的に、ウェークアップキーが押される場合と同じである。
【００４７】
本発明の実施例を上に説明したが、それらの変形および変更も本発明の技術思想から逸脱することなしに可能である。従ってそれらの変形および変更も本発明の枠内のものである。
【図面の簡単な説明】
【００４８】
【図１】図１は、本発明の車載オーディオ/ビデオシステムにおける、コントローラ、データ源および再生デバイス間での無線制御を概略的に示す図である。
【図２】図２は、本発明の実施例による車載オーディオ/ビデオシステムの動作を示す概略図である。
【図１】
2007531426.tif 000003
【図２】
2007531426.tif 000004
【国際調査報告】
2007531426.tif 000005
2007531426.tif 000006
2007531426.tif 000007
2007531426.tif 000008